(57)【要約】【課題】コンロ本体の内部で生じる負圧の影響による点火不良を防止すると共に、比較的少量の混合ガスで確実に点火することができるコンロ用バーナを提供する。【解決手段】バーナボディ２に、バーナヘッド３を載置する載置部１４と、点火プラグ６を収容する点火プラグ収容部１９と、点火プラグ６の上方を覆って載置部１４から上方に突出する突出部２４とを設ける。バーナヘッド３に、バーナボディ２の載置部１４の所定の位置に載置したときに突出部２４を受け入れる受け部３３を設ける。突出部２４の上面と受け部３３の下面とによりその間に点火用炎孔３０を形成する。点火用炎孔３０の出口を点火プラグ６よりもバーナヘッド３の径方向外方であって且つ点火プラグ６よりも高い位置で下方を向いて開口させる。【選択図】図２
2014085042.tif 000002
【特許請求の範囲】
【請求項１】
燃料ガスと一次空気との混合ガスを生成する混合管と、該混合管に連設されたバーナボディと、該バーナボディ上に載置されて外周端に沿って多数の調理用炎孔を形成する環状のバーナヘッドと、前記調理用炎孔に点火するための点火プラグとを備えるコンロ用バーナにおいて、
前記バーナボディは、前記バーナヘッドを載置する環状の載置部と、前記点火プラグを収容する点火プラグ収容部と、前記点火プラグの上方を覆って前記載置部から上方に突出する突出部とを備え、
前記バーナヘッドは、該バーナヘッドを前記バーナボディの載置部の所定の位置に載置したときに前記突出部を受け入れる受け部を備え、
前記突出部の上面と前記受け部の下面との間に点火用炎孔が形成され、該点火用炎孔の出口が前記点火プラグよりも前記バーナヘッドの径方向外方であって且つ該点火プラグよりも高い位置で下方を向いて開口することを特徴とするコンロ用バーナ。
【請求項２】
前記受け部は、前記バーナヘッドの調理用炎孔が形成された外周端よりも外方に向かって張り出して形成され、
前記突出部の上面と前記受け部の下面との間に形成される前記点火用炎孔の出口は、前記受け部の張り出し方向先端部に形成されていることを特徴とする請求項１記載のコンロ用バーナ。
【発明の詳細な説明】
【技術分野】
【０００１】
本発明は、ガスコンロに用いられるコンロ用バーナに関する。
【背景技術】
【０００２】
一般に、コンロ用バーナは、燃料ガスと一次空気との混合ガスを供給する混合管と、混合管に連設されたバーナボディと、該バーナボディ上に載置されて外周に沿って多数の炎孔を形成する環状のバーナヘッドと、前記炎孔に点火するための点火プラグとを備えている。
【０００３】
この種のコンロ用バーナにおいては、バーナボディの外周部の一部を径方向内方に窪ませることにより、点火プラグを収容するための点火プラグ収容部を形成し、点火プラグ収容部に収容した点火プラグをバーナヘッドにより上方から覆うようにしたものが知られている（下記特許文献１参照）。
【０００４】
このものでは、点火プラグ収容部の奥側に点火用炎孔が設けられており、点火用炎孔から点火プラグ収容部の内部に噴出される混合ガスに、点火プラグ収容部の内部に設けた点火プラグにより点火する。これにより、点火プラグの露出を少なくして体裁が良好に保たれる。
【先行技術文献】
【特許文献】
【０００５】
【特許文献１】特開２００９−１２７９０９号公報
【発明の概要】
【発明が解決しようとする課題】
【０００６】
しかし、上記従来のコンロ用バーナは、点火用炎孔が点火プラグよりも内側に位置しているため、バーナヘッドの周縁に形成される調理用炎孔までの距離が比較的長い。このため、確実に点火の際に噴出される混合ガス量が多量に噴出させる必要があり不経済である。
【０００７】
また、点火プラグを収容する点火プラグ収容部がコンロ本体内部に連通しているため、コンロ本体内部に負圧が発生した場合には、その負圧が僅かであっても点火不良が生じるおそれがある。
【０００８】
このような負圧による点火不良は、上記従来のコンロ用バーナをシステムキッチンのビルトイン式コンロに用いたときに多く発生する。即ち、このようなコンロが設置されたシステムキッチンでは、当該システムキッチンに接する壁に燃料ガス配管用の孔が開けられることがあり、この孔と配管との間に隙間が生じている場合がある。このため、システムキッチン側から壁の外部に空気流が生じるとシステムキッチンの内部が負圧になる。また、コンロの下方に位置するシステムキッチンの収納扉を開閉したときにも、システムキッチンの内部が負圧になる。システムキッチンの内部が負圧になると、これに伴いコンロ本体内部も負圧になり、この影響で点火プラグ収容部に下向きの気流が生じる。このとき、点火用炎孔から点火プラグに向かって供給されるべき混合ガスは、コンロ本体内部方向に引かれて点火プラグの先端に設けられる電極の近傍まで到達できず、点火不良が生じる。
【０００９】
上記の点に鑑み、本発明は、コンロ本体の内部で生じる負圧の影響による点火不良を防止すると共に、比較的少量の混合ガスで確実に点火することができるコンロ用バーナを提供することを目的とする。
【課題を解決するための手段】
【００１０】
本発明は、燃料ガスと一次空気との混合ガスを生成する混合管と、該混合管に連設されたバーナボディと、該バーナボディ上に載置されて外周端に沿って多数の調理用炎孔を形成する環状のバーナヘッドと、前記調理用炎孔に点火するための点火プラグとを備えるコンロ用バーナにおいて、前記バーナボディは、前記バーナヘッドを載置する環状の載置部と、前記点火プラグを収容する点火プラグ収容部と、前記点火プラグの上方を覆って前記載置部から上方に突出する突出部とを備え、前記バーナヘッドは、該バーナヘッドを前記バーナボディの載置部の所定の位置に載置したときに前記突出部を受け入れる受け部を備え、前記突出部の上面と前記受け部の下面との間に点火用炎孔が形成され、該点火用炎孔の出口が前記点火プラグよりも前記バーナヘッドの径方向外方であって且つ該点火プラグよりも高い位置で下方を向いて開口することを特徴とする。
【００１１】
本発明によれば、混合管において混合ガスが点火用炎孔を通ってその出口から噴出される。そして、点火プラグの先端に設けられている電極による火花放電により点火用炎孔の出口で点火用の火炎が形成される。
【００１２】
このとき、点火用炎孔の出口が点火プラグよりも高い位置で下方を向いて開口するだけでなく、この出口が点火プラグの外方で開口している。これにより、点火プラグ収容部に生じる負圧により点火が阻止されることがないだけでなく、点火プラグ収容部に負圧が生じたときには、点火プラグの電極に向かう混合ガスの流れが生じる。従って、点火不良を確実に防止できると共に比較的少量の混合ガスで確実に点火することができる。
【００１３】
また、本発明において、前記受け部は、前記バーナヘッドの調理用炎孔が形成された外周端よりも外方に向かって張り出して形成され、前記突出部の上面と前記受け部の下面との間に形成される前記点火用炎孔の出口は、前記受け部の張り出し方向先端部に形成されていることを特徴とする。
【００１４】
受け部の張り出し方向先端部に点火用炎孔の出口が形成されているため、バーナヘッドにおいて点火用炎孔の出口は調理用炎孔よりも外側に位置している。これによれば、調理用炎孔から外向きに噴出されてバーナヘッドの周囲で拡散状態の混合ガスに対して、その外側から点火用炎孔の出口に形成された点火用の火炎が当たる。従って、点火用炎孔の出口から調理用炎孔への点火用火炎の火移りが円滑に行われ、点火用炎孔の出口で形成される火炎が小さくても（点火用の混合ガスが比較的少量であっても）、調理用炎孔への点火を確実に行うことができる。
【図面の簡単な説明】
【００１５】
【図１】本発明の実施形態のコンロ用バーナを示す斜視図。
【図２】本実施形態のコンロ用バーナの要部断面図。
【図３】本実施形態におけるバーナボディの平面図。
【図４】本実施形態における突出部を正面視した図。
【図５】本実施形態におけるバーナヘッドの斜視図。
【図６】本実施形態におけるバーナヘッドの底面図。
【図７】本実施形態における突出部及び受け部を正面視した図。
【図８】図２における突出部及び受け部を拡大して示す説明的断面図。
【発明を実施するための形態】
【００１６】
本発明の一実施形態を図面に基づいて説明する。本実施形態のコンロ用バーナは、図１に示すように、混合管１と、バーナボディ２と、バーナヘッド３とを備えている。
【００１７】
混合管１は、図示しないガスノズルから噴出する燃料ガスを一次空気と共に取り入れることにより燃料ガスと一次空気との混合ガスを生成する。
【００１８】
図２に示すように、混合管１の下流端には、バーナボディ２が連設されている。バーナボディ２は、金属製板材により形成された基体部４と、ダイカストにより形成されたスペーサ５とを備えている。スペーサ５の内部には点火プラグ６が設けられている。
【００１９】
バーナボディ２の基体部４は、外筒７と、外筒の内側に設けられた内筒８とを備え、外筒７と内筒８との間に形成される環状の空間が混合管１に連通する混合気通路９を構成している。
【００２０】
図２及び図３に示すように、基体部４の外筒７は、点火プラグ６が配置されている側が内筒８に接近する方向に偏心して設けられている。また、図２に示すように、基体部４には、環状の底部隆起部１０が形成されている。内筒８は、その下端が底部隆起部１０の上端にカシメ連結されている。そして、内筒８の上端は、外筒７の上端よりも上方に突出している。
【００２１】
外筒７の上端には、スペーサ５が連結されている。図３に示すように、スペーサ５は、その底部１１に形成された連通用の開口である連結部１２に外筒７の上端を挿入し、外筒７の上端部を拡開させるように曲げ加工を施して形成した曲げ部１３により基体部４に連結されている。
【００２２】
スペーサ５は、その上端面にバーナヘッド３を載置する環状の載置部１４を備えている。載置部１４は基体部４の内筒８と同心に形成されているが、スペーサ５の連結部１２は、基体部４の外筒７に対応させるべく載置部１４に対して偏心した位置に設けられている。
【００２３】
図２に示すように、スペーサ５は、コンロ本体（図示しない）の上面を閉塞する天板１５から露出する。天板１５には、バーナ用開口１６が形成されており、バーナ用開口１６とスペーサ５との間に形成される間隙を閉塞する環状の閉塞板１７が設けられている。スペーサ５はダイカストによって形成されているので、美観が高く、また、変形強度も高いことにより天板１５から露出させるのに好適である。
【００２４】
また、スペーサ５の外周壁１８の内側には、点火プラグ６を収容する点火プラグ収容部１９が設けられている。点火プラグ収容部１９は、スペーサ５の外周壁１８の内面に沿って縦長の空間を形成している。点火プラグ収容部１９の内部には、点火プラグ６のプラグ本体２０が収容されている。これにより、点火プラグ６を殆ど露出させることなく設けることができ、外観を向上させることができる。
【００２５】
点火プラグ収容部１９は、基体部４の外筒７を内筒８に対して偏心させることによって形成した比較的広いスペースに設けられる。点火プラグ６は、スペーサ５の外周壁１８の一部から下方に延びる支持片２１にねじ止めされることによってスペーサ５に取り付けられている。
【００２６】
なお、本実施形態においては、図１及び図３に一部を示すように、スペーサ５の点火プラグ収容部１９に隣接する位置に熱電対２２が組み込まれている。熱電対２２は支持部材２３を介してスペーサ５に支持されている。外筒７を内筒８に対して偏心させたことにより点火プラグ６だけでなく熱電対２２を設けるスペースも十分に確保することができる。
【００２７】
更に、図２〜図４に示すように、点火プラグ収容部１９の上方に連続して載置部１４から突出する中空の突出部２４が設けられている。図４に示すように、突出部２４は、載置部１４の周方向に所定間隔を存して互いに対向する一対の縦壁部２５と、点火プラグ６の上方を覆う上壁部２６と、背面壁部２７（図２参照）とからなり、これらに包囲された空間内に点火プラグ６の電極２８が収容される。
【００２８】
また、載置部１４の径方向外側となる突出部２４の外側面（背面壁部２７に対向する側）は、窓部２９により開放されている。突出部２４の上壁部２６の上面には、後述する点火用炎孔３０となる複数の溝が形成されている。
【００２９】
点火プラグ６の電極２８が突出部２４に収容されていることにより、掃除等の際に図３に示すようにバーナヘッド３を取り外しても、点火プラグ６の電極２８が露出しない。これにより、掃除等の際に誤って電極２８に接触することがなく、電極２８の損傷を確実に防止できる。また、点火プラグ６とその電極２８への煮こぼれ汁の付着も防止することができ、電極２８の腐食等の発生を抑えて高い点火性能を長期に亘り維持することができる。
【００３０】
バーナヘッド３は、図５に示すように環状に形成され、図２に示すように下面外周部に垂設された環状壁３１を備えている。環状壁３１には、図６に示すように周方向に沿って配設されて径方向に延びる多数の溝が形成されている。これらの溝により、図２に示すようにスペーサ５の載置部１４に当接したとき、バーナヘッド３に外周に沿って多数の調理用炎孔３２が形成される。
【００３１】
また、バーナヘッド３には、スペーサ５の載置部１４に載置したときに、スペーサ５の突出部２４を上方及び周囲を覆うようにして受け入れる受け部３３が形成されている。受け部３３は、図５及び図６に示すように、バーナヘッド３の環状壁３１（調理用炎孔３２が形成された外周端）よりも外方に向かって張り出して形成されている。受け部３３は、バーナヘッド３の周方向に沿った幅寸法が張り出し方向に向かって次第に小さくなる形状に形成されている。
【００３２】
バーナヘッド３の内周には、環状壁３１と同心の垂下筒３４が設けられている。図２に示すように、垂下筒３４は、バーナヘッド３をスペーサ５の載置部１４に載置したとき、バーナボディ２の基体部４の内筒８に挿着される。このとき、垂下筒３４と内筒８とによって、バーナボディ２とバーナヘッド３との中央部を上下に貫く空洞部分３５が形成される。そして、この空洞部分３５には、鍋底温度センサ３６が設けられる。なお、バーナヘッド３の上部には環状のカバー板３７が設けられ、空洞部分３５への異物の侵入が防止される。
【００３３】
バーナヘッド３の垂下筒３４とスペーサ５の内面との間に形成される環状の空間は、混合気通路９に連通する分布室３８を構成している。混合管１から混合気通路９を経て分布室３８に入った混合ガスは、バーナヘッド３の周方向に分布して調理用炎孔３２から噴出する。
【００３４】
なお、図２に示すように、バーナボディ２の基体部４において、外筒７を内筒８に対して偏心させると、混合気通路９の径方向の一方側が広くなる分、他方側（点火プラグ６側）が狭くなる。そこで、本実施形態では、基体部４を金属製板材により形成した。これにより、外筒７及び内筒８が肉薄となり、偏心によって混合気通路９が狭くなることが軽減される。
【００３５】
しかも、本実施形態では、基体部４の外筒７がスペーサ５によって実質的に上方に拡大され、それに対向する基体部４の内筒８が外筒７よりも上方に延びていることにより、混合ガスの分布スペースを十分に確保でき、調理用炎孔３２に対する混合ガスの分布不良が防止される。
【００３６】
更に、基体部４において、内筒８が外筒７よりも上方に延びていることにより、バーナヘッド３の垂下筒３４の上下方向の長さ寸法を短く形成することができ、バーナヘッド３の軽量化が可能となる。
【００３７】
受け部３３は、図６及び図７に示すように、突出部２４に対応する凹状に形成され、図２に示すように、上壁覆部３９によって突出部２４の上壁部２６を覆う。突出部２４の外周面は、バーナヘッド３の環状壁３１の外周面と同一円周上に位置している。これに対し、上壁覆部３９は、突出部２４よりも外側まで延びている。
【００３８】
そして、図８に示すように、上壁部２６に形成されている溝の上部が上壁覆部３９の下面により閉塞され、点火用炎孔３０が形成される。このようにして突出部２４の上壁部２６と受け部３３の上壁覆部３９との間に形成された点火用炎孔３０は、点火プラグ６よりも上方に位置する。
【００３９】
更に、上壁覆部３９の先端には、下方に延びる先端垂下部４０が設けられている。先端垂下部４０の内面は、バーナヘッド３の径方向外側に向かって突出部から次第に離反する方向に傾斜する傾斜面となっている。先端垂下部４０の内面には点火プラグ６の電極２８との間で火花放電を形成するためのターゲット４１が形成されている。
【００４０】
図８に示すように、先端垂下部４０は、点火用炎孔３０を流れる混合ガスを下方に案内する。これにより、点火用炎孔３０の出口は、実質的に、先端垂下部４０の下端部と突出部２４の上壁部２６の外側端面との間により形成される。そして、点火用炎孔３０の出口は、突出部２４と先端垂下部４０との間で下方を向くように開口された状態となる。このように構成した点火用炎孔３０の出口から形成される火炎は、調理用炎孔３２よりも外側に位置する。
【００４１】
また、先端垂下部４０の内面が上記傾斜面となっていることで、点火用炎孔３０の出口の開口面積が大きくなっている。これにより、点火用炎孔３０の出口からの火炎の離反を防止して点火時の火炎を安定して得ることができる。
【００４２】
混合ガスは、分布室３８の一部である垂下筒３４と背面壁部２７との間から、突出部２４の上面側の点火用炎孔３０の通路を流れることにより突出部２４の内部の電極２８の上方を越え、電極２８よりもバーナヘッド３の径方向外方の高い位置から下方に向かって噴出される。このように、混合ガスは、点火プラグ収容部１９と全く別の通路を通って点火プラグ６の電極２８の方向に向かうことにより、コンロ本体内部が負圧になった場合の影響等により点火プラグ収容部１９が負圧になっていても、点火用炎孔３０の出口で確実に点火することができる。また、先端垂下部４０の内面にターゲット４１を形成したことにより、点火プラグ６の電極２８による火花放電は、点火用炎孔３０の出口を横切って形成される。これにより、点火用炎孔３０の出口から噴出される混合ガスに確実に点火することができる。
【００４３】
更に、受け部３３の上壁覆部３９が、突出部２４よりも外側まで延びていることから、調理用炎孔３２よりも外側に点火用炎孔３０の出口からの火炎が形成される。これにより、点火用炎孔３０の出口で形成される火炎が小さくても、調理用炎孔３２に確実に火移りさせることができる。
【００４４】
図４〜図７に示すように、バーナヘッド３の周方向に沿った上壁覆部３９の両側には、突出部２４の略上半部を覆うように下方に延びる側方垂下部４２が形成されている。側方垂下部４２の内面（側部内面の一部）は、突出部２４の両縦壁部２５に外方から当接する。
【００４５】
このように、受け部３３は、上壁覆部３９に設けた先端垂下部４０及び側方垂下部４２により点火用炎孔３０を包囲しているので、煮こぼれ汁等が点火用炎孔３０に侵入し難く、点火用炎孔３０の目詰まりを防止して点火不良の発生を防止することができる。しかも、先端垂下部４０及び側方垂下部４２が点火用炎孔３０を包囲することにより、混合ガスの拡散が防止され、比較的少量の混合ガスで点火することができる。
【００４６】
更に、図７に示すように、受け部３３の側方垂下部４２より下方に位置する側部内面と、突出部２４の両縦壁部２５の下半部外側面との間に形成される隙間によって、前記点火用炎孔３０よりも大きい火炎を形成する火移り用炎孔４３が形成される。
【００４７】
このように、突出部２４と受け部３３との間に、点火用炎孔３０と火移り用炎孔４３とを形成するので、構造が簡単で製造容易である。また、火移り用炎孔４３が点火用炎孔３０と調理用炎孔３２との間に形成されるので、点火用炎孔３０から調理用炎孔３２への火移りを一層円滑に行うことができる。
【００４８】
また、受け部３３は、上部側の寸法が小となるように側方垂下部４２の外表面が傾斜しており（図７参照）、先端垂下部４０の外表面も下方側がバーナヘッド３の外周から次第に離れる方向に傾斜する形状とされている（図８参照）。
【００４９】
ところで、図２に示すように、バーナヘッド３の外周から張り出す受け部３３においては、点火用の火炎が下方に向かって形成されることにより、調理用炎孔３２のような上向き炎が得られない。このため、バーナヘッド３の外周に形成される調理用の火炎が受け部３３（点火用炎孔３０）の部分で途切れ、受け部３３の部分で熱量の低下が生じるおそれがある。この場合であっても、本実施形態においては、火移り用炎孔４３によって受け部３３の両側に比較的大きな火炎を形成することができるので、受け部３３の部分での熱量の低下を補って、バーナヘッド３の外周の熱分布を均一化することができる。
【００５０】
更に、受け部３３は、図５及び図６に示すように、バーナヘッド３の周方向に沿った幅寸法が張り出し方向に向かって次第に小さくなる形状に形成されていることにより、調理用炎孔３２や火移り用炎孔４３からの火炎による受け部３３の炙りを軽減できる。従って、受け部３３を設けたことによる熱効率低下が防止でき、熱分布を改善することができる。更に、本実施形態の受け部３３は、図７及び図８に示すように、側方垂下部４２の外表面及び先端垂下部４０の外表面が傾斜していることで、受け部３３の炙りが軽減されるだけでなく、煮こぼれ汁の付着も軽減でき、しかも美観の高い外観が得られる。
【００５１】
また、図２に示すように、スペーサ５の載置部１４上にバーナヘッド３が正しく載置されたときには、突出部２４が受け部３３に嵌り、突出部２４が受け部３３に設けた一対の側方垂下部４２の間に挟み込まれることにより、スペーサ５に設けた載置部１４上にバーナヘッド３を載置したとき、バーナヘッド３が位置決めされる。
【００５２】
一方、図示しないが、突出部２４が受け部３３に受け入れられていない誤セット状態のときには、バーナボディ２上のバーナヘッド３の姿勢が斜めになるため、誤セット状態を容易に視認できる。このとき、図示しないが、突出部２４がコンロの前側に位置するようにコンロ用バーナを設置することにより、使用者にとって受け部３３が突出部２４の上部から外れている状態を見えやすくすることができ、誤セットの判断が確実となる。
【００５３】
しかも、本実施形態においては、突出部２４の上壁部２６と受け部３３の上壁覆部３９とによって点火用炎孔３０が形成されるので、誤セット状態では、点火用炎孔３０が形成されない。従って、上記の構成によれば、バーナボディ２に対してバーナヘッド３が誤セット状態でコンロ用バーナが使用されることを確実に防止することができる。
【００５４】
なお、バーナボディ２は、図３に示すように平面視したとき、混合管１と同一直線上（図外のガスノズルの噴出軸線と同一の直線である）に突出部２４が位置するように形成されていることが好ましい。これによれば、混合管１を経てバーナボディ２の分布室３８（図２参照）に流れ込んだ混合ガスは、点火用炎孔３０に到達するまでの間に充分に分散され、各調理用炎孔３２からの燃焼炎が均一になるため良好な熱分布を得ることができる。
【００５５】
また、本実施形態においては、図３及び図６に示すように、突出部２４の上壁部２６の上面に溝を設け、この溝の上面を受け部３３の上壁覆部３９の下面で覆うことにより点火用炎孔３０を形成した例を示したが、これ以外に、図示しないが、受け部３３の上壁覆部３９の下面に溝を設け、この溝の下面を突出部２４の上面に当接して点火用炎孔３０を形成してもよい。
【符号の説明】
【００５６】
１…混合管、２…バーナボディ、３…バーナヘッド、６…点火プラグ、１４…載置部、１９…点火プラグ収容部、２４…突出部、３０…点火用炎孔、３２…調理用炎孔、３３…受け部。
【図１】
2014085042.tif 000003
【図２】
2014085042.tif 000004
【図３】
2014085042.tif 000005
【図４】
2014085042.tif 000006
【図５】
2014085042.tif 000007
【図６】
2014085042.tif 000008
【図７】
2014085042.tif 000009
【図８】
2014085042.tif 000010